(57)【要約】【課題】複数の白色ＬＥＤへ駆動電力を供給する電源にかかる負担を軽減し、更に、複数の駆動回路を設けるためのスペース及び駆動回路を駆動する際の発熱を軽減する。【解決手段】複数の白色ＬＥＤが直列に接続された複数の発光素子群と、複数の発光素子群の駆動電力を供給する電源と、電源と各発光素子群の間にそれぞれ接続され、当該接続された発光素子群への駆動電力の供給及び遮断を切り替える駆動スイッチと、主走査方向に一列に配列された複数の発光素子群を駆動する駆動回路と、主走査方向１ライン分の読み取り周期であるライン周期を発光素子群の数分だけ時分割して、当該時分割した各期間と複数の発光素子群のそれぞれとを対応付け、当該時分割した各期間中に当該各期間に対応する発光素子群に対して駆動電力を供給する切り替え指示を当該発光素子群に対応する駆動スイッチに送出する光源制御部とを備える。【選択図】図３
2012099950.tif 000002
【特許請求の範囲】
【請求項１】
複数の白色ＬＥＤが直列に接続された複数の発光素子群と、
前記複数の発光素子群の駆動電力を供給する電源と、
前記電源と前記各発光素子群の間にそれぞれ接続され、当該接続された前記発光素子群への前記駆動電力の供給及び遮断を切り替える駆動スイッチと、
主走査方向に一列に配列された前記複数の発光素子群を駆動する駆動回路と、
前記主走査方向１ライン分の読み取り周期であるライン周期を前記発光素子群の数分だけ時分割して、当該時分割した各期間と複数の前記発光素子群のそれぞれとを対応付け、当該時分割した各期間中に、当該各期間に対応する前記発光素子群に対して前記駆動電力を供給する切り替え指示を当該発光素子群に対応する前記駆動スイッチに送出する光源制御部と、
を備える画像読取装置。
【請求項２】
前記各発光素子群の前記各白色ＬＥＤは、前記発光素子群単位で前記主走査方向に並べて配置されている請求項１に記載の画像読取装置。
【請求項３】
前記各発光素子群の前記各白色ＬＥＤは、前記発光素子群毎に前記主走査方向に互い違いに配列されている請求項１に記載の画像読取装置。
【請求項４】
全ての前記駆動スイッチが、前記駆動回路の内部に設けられている請求項１から３の何れかに記載の画像読取装置。
【請求項５】
請求項１から４の何れかに記載の画像読取装置と、
前記画像読取装置の読取動作により得られた画像信号に基づき、記録媒体に画像を形成する画像形成部と、
を備える画像形成装置。
【発明の詳細な説明】
【技術分野】
【０００１】
本発明は、複数の白色ＬＥＤを用いて画像を読み取る画像読取装置及び画像形成装置に関する。
【背景技術】
【０００２】
近年の白色ＬＥＤ（Light Emitting Diode）の光量増加に伴い、集光型センサ（ＣＣＤやＣＭＯＳイメージセンサ）を用いた複写機やスキャナのための光源としても、白色ＬＥＤが採用され始めている。
【０００３】
一般的に集光型センサは多くの光量を必要とするため、読取方向に白色ＬＥＤを複数並べて点灯させることによって、必要な光量が作り出されている。例えば、下記特許文献１には、一度に駆動可能な複数のＬＥＤを単位（ブロック）として、当該ブロック毎にＬＥＤを点灯させる技術が記載されている。
【０００４】
また、従来から、例えば、図６に示すように、ブロック毎にＬＥＤを点灯させるＬＥＤ光源を構成する場合においてＬＥＤ光源の駆動電圧を軽減するために、白色ＬＥＤを直列に複数個接続した発光素子群を単位（ブロック）として、各発光素子群の白色ＬＥＤを駆動する駆動回路を並列に接続して構成することが知られている。
【先行技術文献】
【特許文献】
【０００５】
【特許文献１】特開２００７−１１０６２４号公報
【発明の概要】
【発明が解決しようとする課題】
【０００６】
しかしながら、上記の構成の場合、電源が複数の白色ＬＥＤに供給しなければならない最大電流容量は、並列に接続された複数の駆動回路が同時に駆動する際の駆動電流量の総和（例えば、図６においてＩｄ１＋Ｉｄ２＋Ｉｄ３）となり、当該最大電流容量を供給可能な電源を構成する必要があった。
【０００７】
つまり、複数の白色ＬＥＤを点灯させるための駆動電力を供給する電源にかかる負担を軽減する上で更なる改善の余地があった。また、複数の駆動回路を設けるためのスペース及び駆動回路を駆動する際の発熱を軽減する上でも更なる改善の余地があった。
【０００８】
本発明は、上述した問題点を解決するためになされたものであり、複数の白色ＬＥＤへ駆動電力を供給する電源にかかる負担を軽減することができ、更に、複数の駆動回路を設けるためのスペース及び駆動回路を駆動する際の発熱を軽減することができる画像読取装置を提供することを目的とする。また、このような画像読取装置を備えた画像形成装置を提供することを目的とする。
【課題を解決するための手段】
【０００９】
請求項１に記載の発明は、複数の白色ＬＥＤが直列に接続された複数の発光素子群と、
前記複数の発光素子群の駆動電力を供給する電源と、
前記電源と前記各発光素子群の間にそれぞれ接続され、当該接続された前記発光素子群への前記駆動電力の供給及び遮断を切り替える駆動スイッチと、
主走査方向に一列に配列された前記複数の発光素子群を駆動する駆動回路と、
前記主走査方向１ライン分の読み取り周期であるライン周期を前記発光素子群の数分だけ時分割して、当該時分割した各期間と複数の前記発光素子群のそれぞれとを対応付け、当該時分割した各期間中に、当該各期間に対応する前記発光素子群に対して前記駆動電力を供給する切り替え指示を当該発光素子群に対応する前記駆動スイッチに送出する光源制御部と、
を備える画像読取装置である。
【００１０】
この発明では、光源制御部によってライン周期が時分割され、時分割された各期間中に、当該各期間に対応付けられた発光素子群のみに対して駆動電力が供給される。このため、複数の発光素子群に対して駆動電力を同時に供給する場合に比して、電源の最大電流容量を軽減することができ、電源にかかる負担及び駆動回路が駆動する際の発熱を軽減することができる。また、駆動回路によって複数の発光素子群のそれぞれが駆動されるため、複数の発光素子群のそれぞれを駆動するための駆動回路を個別に設ける場合に比して、駆動回路を設けるためのスペースを軽減することができる。
【００１１】
また、請求項２に記載の発明は、請求項１に記載の画像読取装置であって、前記各発光素子群の前記各白色ＬＥＤは、前記発光素子群単位で前記主走査方向に並べて配置されている。
【００１２】
この発明では、複数の発光素子群のそれぞれをライン周期の時分割された期間毎に駆動することにより、主走査方向に並べて配置された白色ＬＥＤを発光素子群単位で照射することができる。
【００１３】
また、請求項３に記載の発明は、請求項１に記載の画像読取装置であって、前記各発光素子群の前記各白色ＬＥＤは、前記発光素子群毎に前記主走査方向に互い違いに配列されている。
【００１４】
この発明では、各発光素子群の各白色ＬＥＤは、発光素子群毎に主走査方向に互い違いに配列されているため、主走査方向に連続して配列される白色ＬＥＤが同時に消灯することが回避され、ライン周期中、主走査方向に所定間隔で白色ＬＥＤが点灯されるようになり、視覚的な白色ＬＥＤの点灯によるちらつきが軽減される。
【００１５】
また、特定の発光素子群が故障した場合であっても、当該故障した発光素子群に備えられた白色ＬＥＤに隣接して配列される白色ＬＥＤは点灯されるため、全体的に光源から原稿に対して照射される光量が低減して読み取り画像の画質が劣るものの、特定部分のみが欠落した読み取り画像が生成されることは回避される。
【００１６】
また、請求項４に記載の発明は、請求項１から３の何れかに記載の画像読取装置であって、全ての前記駆動スイッチが、前記駆動回路の内部に設けられている。
【００１７】
この発明では、駆動回路の内部に全ての駆動スイッチが設けられているため、配線の複雑さが軽減され、光源が省スペース化される。
【００１８】
また、請求項５に記載の発明は、請求項１から４の何れかに記載の画像読取装置と、
前記画像読取装置の読取動作により得られた画像信号に基づき、記録媒体に画像を形成する画像形成部と、
を備える画像形成装置である。
【００１９】
この発明では、画像形成装置において、請求項１から４の何れかに記載の発明における効果を奏することができる。
【発明の効果】
【００２０】
本発明によれば、複数の白色ＬＥＤへ駆動電力を供給する電源にかかる負担を軽減することができ、更に、複数の駆動回路を設けるためのスペース及び駆動回路を駆動する際に発生する発熱を軽減することができる画像読取装置を提供することが可能になる。また、このような画像読取装置を備えた画像形成装置を提供することが可能になる。
【図面の簡単な説明】
【００２１】
【図１】本発明に係る画像形成装置の一例としての複合機を示す概略断面図。
【図２】本発明に係る画像読取装置の一例を示す概略断面図。
【図３】本発明に係る画像読取装置の光源の回路構成の一例とライン周期との関係を示す説明図。
【図４】本発明に係る画像読取装置の画像読取動作を制御する画像読取回路の一例を示すブロック図。
【図５】本発明に係る画像読取装置の光源の回路構成の他の一例とライン周期との関係を示す説明図。
【図６】従来の画像読取装置の光源の回路構成の一例とライン周期との関係を示す説明図。
【発明を実施するための形態】
【００２２】
以下、本発明に係る画像形成装置の一例である複合機を図面に基づいて説明する。図１に示すように、複合機１は、コピー、プリンタ、スキャナ及びファクシミリ等の複数の機能を兼ね備えたものであり、本体部２と、本体部２の左方に配設されたスタックトレイ３と、ユーザが種々の操作指令等を入力するための操作部３６と、本体部２の上部に配設された画像読取部４と、画像読取部４の上方に配設された原稿給紙部５とを有している。
【００２３】
本体部２は、複数の給紙カセット２３と、給紙カセット２３から記録紙を１枚ずつ繰り出して画像形成部２５へ搬送する給紙ローラ２４と、給紙カセット２３から搬送されてきた記録紙に画像を形成する画像形成部２５とを備える。
【００２４】
画像形成部２５は、後述する画像読取部４で取得された画像信号に基づきレーザ光等を出力して感光体ドラム２６を露光する光学ユニット２７と、感光体ドラム２６上にトナー像を形成する現像部２８と、感光体ドラム２６上のトナー像を記録紙に転写する転写部２９と、トナー像が転写された記録紙を加熱してトナー像を記録紙に定着させる一対のローラ３０及び３１からなる定着装置３２と、画像形成部２５内の用紙搬送路中に設けられ、記録紙をスタックトレイ３又は排出トレイ３３まで搬送する搬送ローラ対３４及び３５等とを備える。
【００２５】
尚、記録紙の両面に画像を形成する場合は、画像形成部２５で記録紙の一方の面に画像を形成した後、この記録紙を排出トレイ３３側の搬送ローラ対３０及び３１にニップされた状態とする。この状態で搬送ローラ対３０及び３１を反転させて記録紙をスイッチバックさせ、記録紙を用紙搬送路３２に送って画像形成部２５の上流域に再度搬送し、画像形成部２５により他方の面に画像を形成した後、記録紙をスタックトレイ３又は排出トレイ３３に排出する。
【００２６】
操作部３６には、ユーザが印刷実行指示を入力するためのスタートキー３６１と、印刷部数等を入力するためのテンキー３６２と、各種複写動作の操作ガイド情報等を表示し、これら各種設定入力用にタッチパネル機能を有する液晶ディスプレイ等からなる表示部３６３と、表示部３６３で設定された設定内容等をリセットするリセットキー３６４と、実行中の印刷（画像形成）動作を停止させるためのストップキー３６５と、コピー機能、プリンタ機能、スキャナ機能及びファクシミリ機能を切り換えるための機能切換キー３６６が備えられている。
【００２７】
原稿給紙部５は、ＡＤＦ（Auto Document Feeder：自動給紙装置）を実現するものであり、図２に示すように、原稿トレイ５１、給紙ローラ５２、搬送ドラム５３、排紙ローラ５４及び排紙トレイ５５を有する。原稿トレイ５１は原稿が載置される場所であり、原稿トレイ５１に載置された原稿は１枚ずつ給紙ローラ５２によって取り込まれて搬送ドラム５３へ搬送される。搬送ドラム５３を経由した原稿は排紙ローラ５４によって排紙トレイ５５へ排出される。
【００２８】
画像読取部４は、原稿の画像を光学的に取得して画像信号を出力するものであり、図２に示すように、フラットベッド用コンタクトガラス４１１、光源４２、第１ミラー４３１、第２ミラー４３２、第３ミラー４３３、第１キャリッジ４６、第２キャリッジ４７、結像レンズ４８、ＣＣＤ（Charge Coupled Device）４９を有する。尚、ＣＣＤ以外にＣＭＯＳ（Complementary Metal Oxide Semiconductor）イメージセンサを用いたものであってもよい。
【００２９】
コンタクトガラス４１１は原稿を載置する場所である。光源４２及び第１ミラー４３１は第１キャリッジ４６によって支持され、第２ミラー４３２及び第３ミラー４３３は第２キャリッジ４７によって支持されている。
【００３０】
ここで、画像読取部４及び原稿給紙部５を用いた原稿の画像読取方法として、コンタクトガラス４１１上に載置された原稿を画像読取部４が読み取るフラットベッド読取モードと、原稿をＡＤＦによって取り込み、その搬送途中で原稿を読み取るＡＤＦ読取モードがある。
【００３１】
フラットベッド読取モードでは、光源４２がコンタクトガラス４１１上に載置された原稿を照射し、主走査方向１ライン分の反射光が第１ミラー４３１、第２ミラー４３２、第３ミラー４３３の順に反射して、結像レンズ４８に入射する。結像レンズ４８に入射した光はＣＣＤ４９の受光面で結像される。ＣＣＤ４９は一次元のイメージセンサであり、主走査方向１ライン分の原稿の画像を同時に処理して、画像信号を出力する。
【００３２】
主走査方向１ライン分の読み取りが終了すると、原稿の主走査方向（紙面に対して垂直方向）と直交する方向（副走査方向、矢印Ｙ方向）に第１キャリッジ４６及び第２キャリッジ４７が移動され、次のラインの読み取りが行われる。
【００３３】
ＡＤＦ読取モードでは、給紙トレイ５１に載置された原稿が給紙ローラ５２によって１枚ずつ取り込まれ、その原稿が搬送ドラム５３から排紙トレイ５５への搬送経路に設けられた読取窓４１０とガイド板５９の隙間部を通過するとき、光源４２が読取窓４１０を介して原稿に光を照射する。
【００３４】
主走査方向１ライン分の反射光が第１ミラー４３１、第２ミラー４３２、第３ミラー４３３の順に反射して、結像レンズ４８に入射し、結像レンズ４８に入射した光はＣＣＤ４９の受光面で結像される。続いて原稿は原稿給紙部５によって搬送され、次のラインが読み取られる。
【００３５】
このように画像読取部４においては、原稿からの反射光を光学系によってＣＣＤ４９に導いて画像信号を得ているが、ＣＣＤ４９の特性の個体差や光源４２の照度ムラを補正するために、シェーディング補正が行われる。
【００３６】
このシェーディング補正は、原稿読取前に、光源４２が白色基準板４１２を照射し、その反射光をＣＣＤ４９により受光して得られる白基準データと、ＣＣＤ４９を遮光した状態で得られる黒基準データとを用いて画像信号の濃度ムラの補正を行う処理である。
【００３７】
また、拡散板４４及び反射板４５は、光源４２の主走査方向（紙面に対して垂直方向）の配光分布特性によるリップル（配光の乱れ）を軽減するために配置される。
【００３８】
光源４２は、図３に示すように、主走査方向に一列に配列された、それぞれ白色ＬＥＤを主走査方向に１０個並べて直列に接続してなる発光素子群６〜８を備えている。尚、各発光素子群に備えられた白色ＬＥＤの数（本例では１０）、及び、発光素子群の数（本例では３）は、あくまで例示にすぎず、これに限定する趣旨ではない。
【００３９】
このように、光源４２には、即応性が非常に高いものとして知られている白色ＬＥＤが備えられているため、キセノンランプが備えられた光源に比して、点灯開始から光源として安定して利用できる状態に移行するまでに要する時間が大きく削減される。
【００４０】
また、光源４２は、発光素子群６〜８の駆動電力を供給する電源Ｅ１と各発光素子群６〜８の間にそれぞれ接続され、当該接続された発光素子群への駆動電力の供給及び遮断を切り替えるＦＥＴスイッチＦＥＴ１〜３を備えている。
【００４１】
つまり、ＦＥＴスイッチＦＥＴ１〜３により、本発明に係る駆動スイッチの一例が構成されている。尚、本発明に係る駆動スイッチは、これに限らず、ＦＥＴスイッチ以外のスイッチング素子で構成されていてもよい。
【００４２】
駆動回路９０は、後述する光源制御部９４が出力する電流調整信号（ＰＷＭ制御信号）を取り込み、ＰＷＭ制御信号が示す指示内容に従って、発光素子群に対して電源Ｅ１から所定量の駆動電流を供給させる回路である。
【００４３】
光源制御部９４は、主走査方向１ライン分の読み取り周期であるライン周期Ｔを発光素子群の数分（本例では３）だけ時分割して、当該時分割した各期間と複数の発光素子群６〜８のそれぞれとを対応付け、当該時分割した各期間中に、当該各期間に対応する発光素子群に対して駆動電力を供給する切り替え指示を当該発光素子群に対応するＦＥＴスイッチＦＥＴ１〜３に送出する。
【００４４】
そして、光源制御部９４から送出される当該切り替え指示に応じてＦＥＴスイッチＦＥＴ１〜３が切り換えられると、発光素子群６〜８に対して駆動回路９０を介して所定量の駆動電流が供給及び遮断され、発光素子群６〜８に備えられた白色ＬＥＤが点灯及び消灯される。
【００４５】
次に、複合機１における画像読取動作を制御する画像読取回路について説明する。図４に示すように、画像読取回路９は、ＣＰＵ９１と、ＲＡＭ９２と、ＲＯＭ９３と、光源制御回路９４と、駆動制御部９５と、操作部３６と、Ａ／Ｄ変換部９７と、シェーディング・異常検出部９８と、画像処理部９９とを備え、各部は、バスＢＵＳによって互いに通信可能に接続されている。
【００４６】
ＣＰＵ９１は、複合機１の全体的な動作制御を司る制御機構からなり、画像読取部４及び原稿給紙部５による、原稿の画像読取動作の制御も担当する。尚、ＣＰＵ９１は、ＲＯＭ９３又は図略のハードディスク（ＨＤＤ）に記憶されている動作制御用プログラムに従って、複合機１の動作制御を行う。
【００４７】
ＲＡＭ９２は、ＣＰＵ９１による上記動作制御用プログラムに従った動作制御時の作業領域として用いられる記憶機構である。ＲＯＭ９３は、上記動作制御用プログラムや、各動作制御に用いられる制御パラメータの初期設定値等を記憶する。
【００４８】
光源制御部９４は、上記のとおり、ＦＥＴスイッチＦＥＴ１〜３に発光素子群６〜８に対する駆動電力の供給及び遮断の切り替え指示を送出するとともに、ＰＷＭ制御信号を駆動回路９０に出力することにより、駆動対象の発光素子群６〜８に所定量の電流を供給させ、光源４２の点灯及び消灯動作を制御する。
【００４９】
駆動制御部９５は、原稿給紙部５の給紙ローラ５２や排紙ローラ５４、及び画像読取部４の第１キャリッジ４６や第２キャリッジ４７等の、駆動機構の動作を制御する。
【００５０】
操作部３６は、上記の通り、ユーザからコピー動作開始指示等の各種操作指令の入力を受け付けるものである。
【００５１】
Ａ／Ｄ変換部９７は、画像読取部４のＣＣＤ４９から出力されるアナログの画像信号をデジタルの画像信号に変換してシェーディング・異常検出部９８に出力する。
【００５２】
シェーディング・異常検出部９８は、画像読取部４、原稿給紙部５及びＣＰＵ９１によって取得された白基準データ及び黒基準データを用いて、Ａ／Ｄ変換部９７から出力された原稿の画像信号に対してシェーディング補正を行う。
【００５３】
また、シェーディング・異常検出部９８は、光源制御部９４を介して、全ての発光素子群６〜８を駆動させる指示を駆動回路９０に送出し、白色基準板４１２に照射されて反射した光が予め定められた光量よりも小さい光量である場合に、発光素子群６〜８に備えられた白色ＬＥＤに異常が発生したと判断する異常検出処理を行う。
【００５４】
シェーディング・異常検出部９８は、上記の異常検出処理により、何れの白色ＬＥＤにも異常が発生していないと判断した場合、シェーディング補正済みの原稿の画像信号を画像処理部９９に送出する。
【００５５】
画像処理部９９は、シェーディング・異常検出部９８から送出された画像信号に対して、例えば、レベル補正、ガンマ補正等の補正処理、圧縮又は伸長処理、拡大又は縮小処理などの各種画像処理を行う。
【００５６】
つまり、画像読取部４、原稿給紙部５、操作部３６及び画像読取回路９を備えて、本発明に係る画像読取装置の一例が構成されている。
【００５７】
以下では、光源制御部９４による発光素子群６〜８の駆動制御について、図３を用いて詳述する。光源制御部９４は、ＣＰＵ９１による原稿の画像読取動作の制御が開始されると、ライン周期Ｔを発光素子群の数に相当する３つに時分割し、当該時分割した最初の期間Ｔ１にＦＥＴスイッチＦＥＴ１をオンに切り替える指示を送出して、駆動回路９０を介して所定量の駆動電流Ｉｄ１を電源Ｅ１から発光素子群６に供給させる。これにより、発光素子群６に備えられた１０個の白色ＬＥＤが当該最初の期間中点灯される。
【００５８】
続いて、光源制御部９４は、ライン周期Ｔを時分割した期間Ｔ２の期間中、ＦＥＴスイッチＦＥＴ２のみをオンに切り替える指示を送出して、駆動回路９０を介して所定量の駆動電流Ｉｄ１を電源Ｅ１から発光素子群７に供給させる。これにより、発光素子群７に備えられた１０個の白色ＬＥＤが期間Ｔ２の期間中点灯される。
【００５９】
続いて、光源制御部９４は、ライン周期Ｔを時分割した期間Ｔ３の期間中、ＦＥＴスイッチＦＥＴ３のみをオンに切り替える指示を送出して、駆動回路９０を介して所定量の駆動電流Ｉｄ１を電源Ｅ１から発光素子群８に供給させる。これにより、発光素子群８に備えられた１０個の白色ＬＥＤが期間Ｔ３の期間中点灯される。これと同様にして、光源制御部９４は、ライン周期Ｔ毎に上記の処理を繰り返し実行する。
【００６０】
つまり、本構成によれば、光源制御部９４によってライン周期Ｔが時分割され、時分割された各期間中に、当該各期間に対応付けられた発光素子群のみに対して駆動電流Ｉｄ１が供給されるため、主走査方向に並べて配置された白色ＬＥＤが発光素子群単位で照射されるようになる。
【００６１】
このため、例えば、図６に示すように、光源が複数の発光素子群に対して駆動電流を同時に供給するように構成されている場合において、電源の最大電流容量が複数の発光素子群に対して供給する駆動電流の総和（図中におけるＩｄ１＋Ｉｄ２＋Ｉｄ３）であるのに比して、本構成における電源Ｅ１の最大電流容量は、複数の発光素子群６〜８のうちの何れか一つに対する駆動電流Ｉｄ１であり、大きく低減される。したがって、電源Ｅ１にかかる負担が大きく軽減される。
【００６２】
また、本構成によれば、同時に駆動される発光素子群の数が１つのみであるので、例えば、図６に示すように、光源が複数の発光素子群に対して駆動電流を同時に供給するように構成されている場合に比して、発光素子群が駆動することによって生じる発熱が軽減される。
【００６３】
また、駆動回路９０によって複数の発光素子群６〜８のそれぞれが駆動されるため、例えば、図６に示すように、複数の発光素子群のそれぞれを駆動するための駆動回路を個別に設ける場合に比して、駆動回路を設けるためのスペースを軽減することができる。
【００６４】
尚、上記実施形態においては、発光素子群６に備えられた白色ＬＥＤと、発光素子群７に備えられた白色ＬＥＤと、発光素子群８に備えられた白色ＬＥＤとを、当該順序で主走査方向に連続して配列するように構成していたが、各発光素子群の各白色ＬＥＤが、発光素子群毎に主走査方向に互い違いに配列されるように構成してもよい。
【００６５】
つまり、例えば、図５に示すように、発光素子群６ａの白色ＬＥＤ、発光素子群７ａの白色ＬＥＤ、発光素子群８ａの白色ＬＥＤ、発光素子群６ａの白色ＬＥＤ、発光素子群７ａの白色ＬＥＤ、発光素子群８ａの白色ＬＥＤ・・・の順番で配列されるように構成してもよい。
【００６６】
本構成によれば、主走査方向に連続する白色ＬＥＤが同時に消灯することが回避され、ライン周期Ｔ中、主走査方向に所定間隔で白色ＬＥＤが点灯されるようになり、視覚的な白色ＬＥＤの点灯によるちらつきが軽減される。
【００６７】
また、特定の発光素子群が故障した場合であっても、当該故障した発光素子群に備えられた白色ＬＥＤに隣接して配列される白色ＬＥＤは点灯されるため、全体的に原稿に対して照射される光量が低減して読み取り画像の画質が劣るものの、特定部分のみが欠落した読み取り画像が生成されることは回避される。
【００６８】
また、上記の構成におけるＦＥＴスイッチＦＥＴ１〜３を、駆動回路９０の内部に設けるように構成してもよい。本構成によれば、配線の複雑さが軽減され、光源４２が省スペース化される。
【００６９】
尚、上記実施形態においては、画像形成装置の一例として複合機を例に説明したが、これに限らず、本発明に係る画像読取装置を備えた、プリンタ、コピー機、スキャナ、或いはＦＡＸ等の画像形成装置であってもよい。
【００７０】
尚、上記実施形態において図１乃至図６に示した構成及び設定は単なる一例に過ぎず、本発明を当該実施形態に限定する趣旨ではない。
【符号の説明】
【００７１】
１  複合機（画像形成装置）
４  画像読取部（画像読取装置）
５  原稿給紙部（画像読取装置）
６，７，８，６ａ，７ａ，８ａ  発光素子群
９  画像読取回路（画像読取装置）
２５  画像形成部
３６  操作部（画像読取装置）
４２  光源
９０  駆動回路
９４  光源制御部
Ｅ１  電源
ＦＥＴ１，ＦＥＴ２，ＦＥＴ３  ＦＥＴスイッチ（駆動スイッチ）
Ｔ  ライン周期
【図１】
2012099950.tif 000003
【図２】
2012099950.tif 000004
【図３】
2012099950.tif 000005
【図４】
2012099950.tif 000006
【図５】
2012099950.tif 000007
【図６】
2012099950.tif 000008